(57)【特許請求の範囲】
【請求項１】
壁板に穿設された取付孔内に配設され、前記壁板を隔てて延設された配管同士を接続するための継手であって、
継手本体の両端部に接続部を設けるとともに、それら両接続部の中間部に壁板の裏面から表面側にほぼくの字状に傾斜して屈曲し、前記壁板の表面側の接続部を該壁板の表面側に向かって斜め上方に所定角度傾斜して配置する屈曲部を設け、さらに前記両接続部の中間部には継手本体内を流れる流体の流通量を調節するための止水栓を設け、その止水栓を操作するための止水栓操作部を壁板の表面側に延設したことを特徴とする継手。
【請求項２】
前記止水栓操作部を壁板と垂直方向に延設したことを特徴とする請求項１に記載の継手。
【請求項３】
前記壁板の表面側の接続部を屈曲部から延長して傾斜するように構成したことを特徴とする請求項１又は請求項２に記載の継手。
【発明の詳細な説明】
【０００１】
【発明の属する技術分野】
この発明は、止水栓を備え、壁板を隔てて延設された配管同士を接続するための継手に関するものである。
【０００２】
【従来の技術】
従来より、この種の継手７１としては、例えば図６に示されるように、壁板７２の裏面に沿って上下に延設された第１給水配管７３と、前記壁板７２の表面に沿って上下に延設された第２給水配管７４とを接続するための継手７１が知られている。この継手７１は、壁板７２の裏面側に配設される第一屈曲部材７５と、壁板７２に穿設された円孔状の挿通孔７６内に挿通される挿通部材７７と、壁板７２の表面側に配設される側面逆Ｔ字状の第二屈曲部材７８とから構成されている。
【０００３】
第一屈曲部材７５は、その中央部において壁板７２の表面側に向かって直角に屈曲された第一屈曲部７９が設けられることにより側面逆Ｌ字状に形成され、その内部には水が流通するための流路８０が設けられている。この第一屈曲部材７５の下端部（一端部）は第２給水配管７４の上端部に接続され、他端部には前記挿通部材７７の一端部と接続される第一接続部８１が設けられている。この第一接続部８１の内周面には雌ネジが螺刻されている。
【０００４】
挿通部材７７は、内部に流路８０が形成された横円筒状に形成され、壁板７２裏面側の一端部外周面には、前記第一接続部８１の雌ネジと螺合する雄ネジが螺刻されている。この挿通部材７７の他端部外周面には、前記第二屈曲部材７８の一端部と接続するための雄ネジが螺刻されている。
【０００５】
第二屈曲部材７８は、前記挿通部材７７の一端部と接続される第二接続部８２と、前記第２給水配管７４の下端部と接続される第三接続部８３との間を逆Ｌ字状に繋ぐ流路８０が形成された屈曲配管本体８４と、その屈曲配管本体８４の中央部に設けられた第二屈曲部８５から横方向に突出した止水口８６とから構成されている。また、第二接続部８２の内周面には、前記挿通部材７７の他端部に形成された雄ネジと螺合する雌ネジが螺刻されている。
【０００６】
止水口８６は、第二屈曲部８５において壁板７２に対し垂直方向に延びる円筒状に形成され、その内部にはほぼ円柱状の止水栓８７が嵌入されている。この止水栓８７は、止水口８６内で横方向に移動可能に構成されるとともに、その先端部にはマイナスドライバーの先端と係合される掛止溝８８が設けられている。
【０００７】
そして、この継手７１を用いて第１給水配管７３と第２給水配管７４とを接続する際には、まず、第一屈曲部材７５の第一接続部８１と挿通部材７７の一端部とを螺合接続した後、挿通部材７７を壁板７２の挿通孔７６に挿通させる。続いて、挿通部材７７の他端部と第二屈曲部材７８の第二接続部８２とを係合させた後、第二屈曲部材７８を挿通部材７７に対して回転螺進させ、両者を螺合接続する。最後に、第１給水配管７３の上端部と第一屈曲部材７５の下端部とを接続するとともに、第２給水配管７４の下端部と第二屈曲部材７８の第三接続部８３とを接続する。
【０００８】
一方、この継手７１内を流通する水の流通量を調節する場合には、前記止水栓８７先端部の掛止溝８８をマイナスドライバーにより所定量回動させる。このとき、止水栓８７が止水口８６内で横方向に移動され、止水口８６基端部における屈曲配管本体８４内の流路８０の通水面積を調節し、そこを通過する水の流量を調節することができる。
【０００９】
【発明が解決しようとする課題】
ところが、前記従来の継手７１では、第一及び第二屈曲部材７５，７８内の流路８０がそれぞれ直角に屈曲されていたことから水の流路抵抗が高まり、継手７１内の流路８０を滑らかに流通させることが困難であった。
【００１０】
この発明は、上記のような従来技術に存在する問題点に着目してなされたものである。その目的とするところは、壁板を隔てて延設された配管同士を接続することができるうえ、流体が流通する際の流路抵抗を小さくすることができる継手を提供することにある。
【００１１】
【課題を解決するための手段】
上記の目的を達成するために、請求項１に記載の発明の継手は、壁板に穿設された取付孔内に配設され、前記壁板を隔てて延設された配管同士を接続するための継手であって、継手本体の両端部に接続部を設けるとともに、それら両接続部の中間部に壁板の裏面から表面側にほぼくの字状に傾斜して屈曲し、前記壁板の表面側の接続部を該壁板の表面側に向かって斜め上方に所定角度傾斜して配置する屈曲部を設け、さらに前記両接続部の中間部には継手本体内を流れる流体の流通量を調節するための止水栓を設け、その止水栓を操作するための止水栓操作部を壁板の表面側に延設したことを特徴とするものである。
【００１２】
請求項２に記載の発明の継手は、請求項１に記載の発明において、前記止水栓操作部を壁板と垂直方向に延設したことを特徴とするものである。
請求項３に記載の発明の継手は、請求項１又は請求項２に記載の発明において、前記壁板の表面側の接続部を屈曲部から延長して傾斜するように構成したことを特徴とするものである。
【００１３】
【発明の実施の形態】
以下、この発明の実施形態を、図面に基づいて詳細に説明する。
図２に示すように、水洗トイレ１１（洋式又は和式）の貯水タンク１２に流体としての水道水を供給するための給水配管は、貯水タンク１２の一側部から壁板１３の表面に沿って延設された可撓性を有する第１給水配管１４と、その壁板１３の裏面に沿って延設されたポリブテン製の第２給水配管１５とから構成されている。これら第１給水配管１４及び第２給水配管１５は、前記壁板１３を隔ててほぼ平行に延設されている。また、前記貯水タンク１２の上端部には、前記第１給水配管１４から接続された吐水筒１６が立設され、その吐水筒１６の先端部には貯水タンク１２の上面に向かって水道水を吐出するための吐出口１７が垂下されている。
【００１４】
前記第１給水配管１４の一端部は、壁板１３の下部に四角孔状に穿設された取付孔１８内に配設された継手１９の上端部に接続されている。一方、第２給水配管１５は、その一端部が前記継手１９の下端部に接続されるとともに、他端部は建築物外部の水道管と接続された図示しない引込み管に接続されている。一方、前記取付孔１８内には、合成樹脂により側断面くの字状に形成された仕切り板２０が配設され、前記取付孔１８を閉鎖してトイレの壁板１３を仕切っている。また、前記壁板１３裏面側の取付孔１８の斜め下方位置には、四角柱状の桟木２１が横方向に架設されている。
【００１５】
図１及び図３に示すように、前記仕切り板２０の下部には円孔状の挿通孔２２が穿設され、その挿通孔２２内には、錆び難い金属材料によりほぼくの字状に形成された継手１９の中央部が挿通されている。さらに、この継手１９の下端部には、平面Ｔ字状に形成された固着部材２３が横方向に突設され、前記桟木２１の一側面に固定ネジ２４を介して固定され、継手１９の中央部から下端部を上下方向に配向させながら継手１９を支持している。
【００１６】
この継手１９は、内部に水を通過させるための流路２５が形成された円筒状の継手本体２６の中央部において、壁板１３の表面側に向かって斜め上方に所定角度傾斜するように屈曲した屈曲部２７を有している。この継手本体２６の屈曲部２７における傾斜角度、すなわち継手本体２６の下端部と屈曲部２７とを結ぶ直線の延長線と、継手本体２６の上端部と屈曲部２７とを結ぶ直線とのなす角度は、好ましくは１０〜８０°、より好ましくは３０〜６０°、さらに好ましくは４０〜５０°である。この傾斜角度が１０°未満の場合には、取付孔１８を上下に大きく穿設する必要があることから好ましくない。逆に８０°を越える場合には、継手１９内を通過する水の流路抵抗を充分に低下させることができない。
【００１７】
継手本体２６の上端部には、前記第１給水配管１４の先端部に設けられた接続金具２８と接続される第１接続部２９が設けられている。この第１接続部２９の先端外周縁には、円環状の周縁フランジ３０が外方に突設されている。一方、前記接続金具２８の先端部外周面には、ゴム又はシリコーン樹脂製の嵌着リング３１が固着されるとともに、その嵌着リング３１の基端側には円環状のフランジ部３２が外方に突設されている。また、接続された第１給水配管１４と接続金具２８との離間を防止するためのクリップ３３は、弾性力を有する金属材料により平面ほぼＣ字状に形成されるとともに、その両側面には前記周縁フランジ３０及びフランジ部３２の両方を挟持して係合するための長四角孔状の係合孔３４が穿設されている。
【００１８】
そして、接続金具２８の外周面を第１接続部２９の内周面に嵌入してフランジ部３２と周縁フランジ３０とを当接させた後、第１接続部２９と接続金具２８とをクリップ３３で挟持するとともに、周縁フランジ３０とフランジ部３２を係合孔３４と係合させることによって、前記接続金具２８と第１接続部２９とが離間不能に接続される。そして、これら第１接続部２９、接続金具２８及びクリップ３３によりクイックジョイントが構成されている。
【００１９】
図３及び図４に示すように、継手本体２６の下端部には、第２給水配管１５の先端部３５と接続される第２接続部３６が設けられている。また、前記先端部３５を除く第２給水配管１５の外周面には断熱部材３７が被覆され、第２給水配管１５内を流通する水の水温を一定に保つことができるようになっている。一方、第２接続部３６内には、前記継手本体２６の流路２５と連通する円筒状の接続筒３８が設けられている。この接続筒３８は、その外周面と第２接続部３６の内周面との間に円環状をなす隙間を有するように形成され、その内奥部には前記先端部３５の先端面と当接するための円環状をなす当接面３９が形成されている。
【００２０】
この当接面３９より下方位置の第２接続部３６の内周面には、第１溝部４０が円環状に凹設され、その第１溝部４０内にはゴム又はシリコーン樹脂により円環状に形成された第１シールリング４１が嵌着されている。前記第１溝部４０より下方位置の第２接続部３６の内周面には、収容凹部４２がほぼ円環状に凹設され、その収容凹部４２の下端部には内方へ突出する円環状をなす係止面４３が形成されている。
【００２１】
この係止面４３より下方位置の第２接続部３６の内周面には、ほぼ円環状の凹部４４が凹設され、その凹部４４の上端部には付勢部材としてのコイルスプリング４５の上端が接合されている。さらに、この凹部４４より下方位置の第２接続部３６の内周面には、第２溝部４６が円環状に凹設され、その第２溝部４６内にはゴム又はシリコーン樹脂により円環状に形成されたＯ−リング４７が嵌着されている。
【００２２】
第２接続部３６の内周面と接続筒３８の外周面との間には、ほぼ円筒状をなすロック部材４８が嵌入されている。このロック部材４８の下端部には円筒部４９が設けられ、上端部は前記収容凹部４２内に収容されている。また、このロック部材４８の上端部外周縁には外方へ突出する係止部５０が設けられ、内周面には内方へ若干突出する係合凸部５１が設けられている。さらに、ロック部材４８の下端部内周面には第３溝部５２が円環状に凹設され、その第３溝部５２内にはゴム又はシリコーン樹脂により円環状に形成された第２シールリング５３が嵌着されている。
【００２３】
一方、前記コイルスプリング４５は、その上端が第２接続部３６の凹部４４の上端部に接合されているうえ、その下端がロック部材４８の円筒部４９の上端面に接合され、第２接続部３６とロック部材４８とを常に離間する方向に付勢している。この付勢力により、ロック部材４８の係止部５０の下端面が第２接続部３６の係止面４３に係止されて、ロック部材４８の係合凸部５１が前記先端部３５の外周面を内方に押圧し、第２接続部３６と第２給水配管１５との接続状態を維持することができるようになっている。
【００２４】
また、前記第２給水配管１５の先端部３５をコイルスプリング４５の付勢力に抗して第２接続部３６側へ押圧することによって、ロック部材４８の上端部が上動されて第２接続部３６の収容凹部４２内に収容され、前記係止部５０下端面と係止面４３との係止状態が解除される。このとき、前記係合凸部５１による先端部３５外周面に対する押圧力が低下し、第２給水配管１５を第２接続部３６内から引き抜いて接続状態を解除することができるようになっている。そして、これら第２接続部３６やロック部材４８等によりワンタッチジョイントが構成されている。
【００２５】
図１及び図３に示すように、前記屈曲部２７の第１接続部２９側の一側面には、壁板１３の表面に対して垂直方向に延びる円筒状の止水口５４が突設され、この止水口５４内にはほぼ円柱状に形成された止水栓５５が嵌入されている。この止水栓５５の先端面には、マイナスドライバーの先端を掛止するための止水栓操作部としての掛止溝５６が形成されている。また、止水栓５５の先端部外周面にはゴム又はシリコーン樹脂により円環状に形成されたシール部材５７が装着され、止水栓５５の基端部は縮径された係合筒部５８となっている。一方、前記止水口５４の基端部には、斜め方向に延びる流路２５が設けられるとともに、その流路２５の内周面には、前記係合筒部５８と嵌合する係合凹部５９が円環状に凹設されている。
【００２６】
そして、前記掛止溝５６にマイナスドライバーの先端を掛止して回動させ、止水栓５５を継手本体２６内部の奥まで押し込んだ場合には、前記係合筒部５８が流路２５内に設けられた係合凹部５９と嵌合して流路２５を閉鎖し、水が流路２５内を通過することができないように構成されている。また、前記止水栓５５の押し込み量を調節して水の流通量を調節することもできるようになっている。
【００２７】
上記継手１９の作用について以下に記載する。
上記のように構成された継手１９を所定位置に設置して第１給水配管１４と第２給水配管１５とを接続する際には、まず、継手１９下端部の第２接続部３６内に第２給水配管１５の先端部３５を挿入し、その先端部３５の外周面とロック部材４８の係合凸部５１とを係合させる。
【００２８】
次に、継手１９の固着部材２３を桟木２１の一側面に対して固定ネジ２４を用いて固定する。続いて、継手本体２６の中央部を仕切り板２０の挿通孔２２内に挿通させるとともに、仕切り板２０を取付孔１８内の所定位置に取付け、図示しない固定ネジ又は接着剤を用いて壁板１３に固定する。最後に、継手１９上端部の第１接続部２９内に第１給水配管１４の接続金具２８の先端部を挿入して周縁フランジ３０とフランジ部３２とを当接させた状態で、クリップ３３により両者を離間不能に接続する。
【００２９】
さて、この継手１９の流路２５内を通過する水道水の流通量を調節する際には、止水栓５５先端面の掛止溝５６にマイナスドライバーを掛止して止水栓５５を回動させ、止水口５４基端部の流路２５の流通面積を調節する。このとき、前記流路２５の流通面積にほぼ比例した量の水道水が継手１９内を流通し、貯水タンク１２内に水が満たされるまでの時間が自由に調節される。さらに、前記流通面積に比例した量の水道水が吐出口１７から吐出され、所望とする水量の水で手を洗うことができる。
【００３０】
この継手１９内の流路２５は、第２給水配管１５の先端部３５から第１給水配管１４の接続金具２８に向かって、ほぼ最短距離となるように斜め上方に傾斜して配設されており、水道水がより迅速に流通する。さらにこのとき、前記水道水は前記流路２５内をよりスムーズに流されるとともに、その水の流れに起因する異音が抑えられる。また、この継手１９は、壁板１３の表面側に突出する部分が小さくなるように構成されており、トイレの床板上の空間を広く使えるようになっている。
【００３１】
上記実施形態によって発揮される効果について、以下に記載する。
・  継手本体２６の中央部にほぼくの字状に傾斜して屈曲する屈曲部２７を設けたことから、壁板１３を隔てて延設された第１給水配管１４と第２給水配管１５とを容易に接続することができるうえ、流路２５内を通過する水の流路抵抗を小さくすることができる。このため、継手本体２６の流路２５内に水道水をよりスムーズに流通させることができるうえ、水が流れる際の異音を低減させることができる。また、この継手１９は、第１給水配管１４と第２給水配管１５との間をほぼ最短距離で繋ぐように構成されていることから、水道水を貯水タンク１２内により迅速に供給することができる。
【００３２】
一方、この継手１９は、壁板１３の表面側に突出する部分が小さくなるように構成されていることから、仕切り板２０内での収まりを良好にして意匠性を向上させることができるうえ、トイレの床板上の空間を広く有効に使用することができる。また、この継手１９は非常に簡単な構成であるとともに、その取付けを容易に行うことができる。
【００３３】
また、前記従来の継手７１においては、部品点数が多いうえ各部材同士が雄ネジと雌ネジとの螺合関係により接続されていたことから、施工工事が大変面倒であるうえ、施工によるばらつきが頻発する可能性が高かった。さらに、この継手７１は、多くの接続部分を有していることから漏水が起こりやすいという欠点もあった。これに対し、本実施形態の継手１９では、部品点数及びそれら各部品同士の接続部分が少ないことから、上記のような欠点による不具合を著しく低減させることができる。
【００３４】
・  止水栓５５を壁板１３と垂直方向に延設したことによって、掛止溝５６に対するマイナスドライバーの回動操作を容易に行うことができる。このため、貯水タンク１２上端部の吐出口１７より吐出される水道水の吐出量及び吐出時間を容易に調節することができる。
【００３５】
・  第１接続部２９を屈曲部２７から延長して斜め上方に傾斜するように構成したことによって、簡単な構成で流路２５内を流通する水の流路抵抗を容易に小さくすることができる。
【００３６】
・  第１接続部２９の接続部分をクイックジョイントにより構成するとともに、第２接続部３６の接続部分をワンタッチジョイントにより構成することによって、第１及び第２給水配管１４，１５と継手１９との接続を容易に行うことができる。
【００３７】
・  屈曲部２７における継手本体２６の傾斜角度を１０〜８０°にすることによって、取付孔１８内での継手１９の収まりを良好にすることができる。
なお、本実施形態は、次のように変更して具体化することも可能である。
【００３８】
・  図５に示すように、継手１９を取付孔１８の斜め下方位置に架設された桟木２１に固定する代わりに、取付孔１８上方の壁板１３裏面に固定された桟木２１ａに固定すること。
【００３９】
すなわち、図５に示されるように、壁板１３裏面の取付孔１８上方には、四角柱状に形成された桟木２１ａが固定されている。この桟木２１ａの下面には、上端部に側断面逆Ｌ字状に形成された固定板６１が突設された仕切り板２０が、固定ネジ２４及び固定板６１を介して固定されている。この仕切り板２０は、前記実施形態と同様に側断面ほぼくの字状に形成されるとともに、挿通孔２２の中央を通る直線で左右に分割可能に構成されている。
【００４０】
そして、継手本体２６の中央部を左右に分割された仕切り板２０の挿通孔２２内に挟持して固定した後に、仕切り板２０を桟木２１ａの下面に固定ネジ２４を用いて固定することによって、継手１９を所定位置に固定して支持することができるようになっている。
【００４１】
一方、前記仕切り板２０と取付孔１８との間には僅かな隙間が設けられ、壁板１３の表面に配設される四角枠状の外枠６２の裏面に四角筒状に突設された埋設部６３をその隙間内に埋設することによって、外枠６２を取付孔１８の表面に固定することができるようになっている。
【００４２】
このように構成した場合、前記取付孔１８の斜め下方位置に桟木２１を架設する際の大掛かりな工事を行う必要がなく、壁板１３の裏面に小さな桟木２１ａを固定するという小規模で簡単な工事を行うことにより、継手１９を所定位置に容易に固定することができる。
【００４３】
・  第１接続部２９をワンタッチジョイントにより構成し、第２接続部３６をクイックジョイントにより構成すること。或いは、第１及び第２接続部２９，３６をクイックジョイントにより構成すること。或いは、第１及び第２接続部２９，３６をワンタッチジョイントにより構成すること。
【００４４】
このように構成した場合でも、継手１９の取付け作業を容易に行うことができる。
・  止水口５４及び止水栓５５を、上方又は下方に０°より大きく８０°以下の角度（例えば３０°、４５°、６０°）で傾斜させること。さらにこのとき、前記止水口５４及び止水栓５５を右又は左方向に０°より大きく８０°以下の角度（例えば３０°、４５°、６０°）で傾斜させてもよい。
【００４５】
このように構成した場合、止水栓５５を所望とする方向に延設することができる。
・  止水口５４及び止水栓５５を屈曲部２７と第２接続部３６との中間位置に設けること。
【００４６】
このように構成した場合、止水栓５５の周囲の空間を拡げることができることから、止水栓５５の操作を容易に行うことができる。
・  屈曲部２７より上方の継手本体２６を、右又は左方向に０°より大きく８０°以下の角度（例えば３０°、４５°、６０°）で傾斜させること。
【００４７】
このように構成した場合、継手１９を任意の位置、例えば、継手１９に設けられた止水栓５５を操作しやすい位置に配設することができる。
・  継手本体２６を屈曲部２７を中心にして、壁板１３と平行に、右又は左方向に０°より大きく１８０°以下の角度（例えば３０°、４５°、６０°、９０°、１２０°、１３５°、１５０°、１８０°）回動させた状態で配設すること。
【００４８】
このように構成した場合、第１給水配管１４及び貯水タンク１２の接続部と、第２給水配管１５の先端部３５との位置関係に従って、最も両者の最短距離となる経路に沿って流路２５を延設することができる。
【００４９】
・  流路２５内に流体としての湯を流通させること。
さらに、前記実施形態より把握できる技術的思想について以下に記載する。
（１）  前記接続部をクイックジョイント又はワンタッチジョイントにより構成した請求項１から請求項３のいずれかに記載の継手。
【００５０】
このように構成した場合、取付け作業を容易に行うことができる。
（２）  前記屈曲部の傾斜角度を１０〜８０°にすることを特徴とする請求項１から請求項３及び前記（１）のいずれかに記載の継手。
【００５１】
このように構成した場合、取付孔内での継手の収まりを良好にすることができる。
（３）  水洗トイレの貯水タンクに接続される給水配管を接続するために使用することを特徴とする請求項１から請求項３、前記（１）及び前記（２）のいずれかに記載の継手。
【００５２】
このように構成した場合、給水配管の収まりを良好にして意匠性を向上させることができる。
【００５３】
【発明の効果】
以上詳述したように、この発明によれば、次のような効果を奏する。
請求項１に記載の発明の継手によれば、壁板を隔てて延設された配管同士を接続することができるうえ、流体が流通する際の流路抵抗を小さくすることができる。
【００５４】
請求項２に記載の発明の継手によれば、請求項１に記載の発明の効果に加えて、止水栓の操作を容易に行うことができる。
請求項３に記載の発明の継手によれば、請求項１又は請求項２に記載の発明の効果に加えて、流体が流通する際の流路抵抗を容易に小さくすることができる。
【図面の簡単な説明】
【図１】  実施形態の継手を示す分解斜視図。
【図２】  実施形態の水洗トイレ及び継手を示す側断面図。
【図３】  実施形態の継手を示す側断面図。
【図４】  実施形態の第２接続部を示す部分拡大断面図。
【図５】  実施形態以外の継手を示す側断面図。
【図６】  従来の継手を示す部分側断面図。
【符号の説明】
１３…壁板、１４…配管としての第１給水配管、１５…配管としての第２給水配管、１８…取付孔、１９…継手、２６…継手本体、２７…屈曲部、２９…接続部又は壁板の表面側の接続部としての第１接続部、３６…接続部としての第２接続部、５５…止水栓、５６…止水栓操作部としての掛止溝。
【図１】
0003710978.tif 000002
【図２】
0003710978.tif 000003
【図３】
0003710978.tif 000004
【図４】
0003710978.tif 000005
【図５】
0003710978.tif 000006
【図６】
0003710978.tif 000007